(57)【要約】  本開示のある態様は、グループ共通物理ダウンリンク制御チャネル（ＧＣ  ＰＤＣＣＨ）中のスロットフォーマットインジケータ（ＳＦＩ）とスロットアグリゲーションレベル表示、および、ＳＦＩに対する競合処理に関する技術を提供する。ある態様にしたがうと、基地局（ＢＳ）によるワイヤレス通信の方法が提供される。ＢＳは、スロットアグリゲーションレベルとアグリゲーションされるスロットのフォーマットとを決定でき、アグリゲーションされるスロットのフォーマットを示すＳＦＩとスロットアグリゲーションレベルの表示とを含むダウンリンク制御チャネルを送ることができる。ＵＥは、ＳＦＩとスロットアグリゲーションレベルの表示とを含むダウンリンク制御チャネルを受信でき、ＵＥは、受信したＳＦＩとスロットアグリゲーションレベルとに基づいて、現在のスロットのフォーマットを決定することができる。【選択図】図９
2020511851.tif 000002
【特許請求の範囲】
【請求項１】
ユーザ機器（ＵＥ）によるワイヤレス通信のための方法において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信することと、
前記ＳＦＩと競合するスケジューリングされた送信を決定することと、
前記受信したＳＦＩに基づいて、または、前記スケジューリングされた送信の方向に基づいて、前記１つ以上のシンボルの方向をアップリンクまたはダウンリンクとして決定することと、
前記１つ以上のシンボルに対して決定した方向に基づいて、前記１つ以上のシンボル中で送信または受信することとを含む方法。
【請求項２】
前記ダウンリンク制御チャネルは、グループ共通物理ダウンリンク制御チャネル（ＧＣ  ＰＤＣＣＨ）を含む請求項１記載の方法。
【請求項３】
前記送信は、受信したダウンリンク制御情報（ＤＣＩ）によってスケジューリングされ、
前記１つ以上のシンボルの方向を決定することは、前記ＤＣＩによってスケジューリングされた送信の方向に優先権を与えることを含む請求項１記載の方法。
【請求項４】
前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる請求項３記載の方法。
【請求項５】
前記送信は、受信したダウンリンク制御情報（ＤＣＩ）によってスケジューリングされ、
前記１つ以上のシンボルの方向を決定することは、
前記ＤＣＩが以前のスロットで受信されていた場合、前記ＳＦＩに優先権を与えることと、
前記ＤＣＩが前記現在のスロットで受信された場合、前記ＤＣＩに優先権を与えることとを含む請求項１記載の方法。
【請求項６】
前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または空として示されている前記シンボルのうちの１つにおけるアップリンク周期信号のうちの少なくとも１つを含む請求項１記載の方法。
【請求項７】
前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む請求項６記載の方法。
【請求項８】
前記周期信号に対してスケジューリングされたシンボルに対する許可を含むダウンリンク制御情報（ＤＣＩ）を受信することをさらに含み、
前記１つ以上のシンボルの方向を決定することは、前記ＤＣＩ中の許可に基づいて、前記シンボルの方向を決定することを含む請求項６記載の方法。
【請求項９】
前記１つ以上のシンボルの方向を決定することは、前記ＳＦＩがそのシンボルに対する方向を示す場合、前記ＳＦＩに基づいて、前記シンボルの方向を決定することを含む請求項６記載の方法。
【請求項１０】
前記１つ以上のシンボルの方向を決定することは、前記ＳＦＩが前記シンボルを空として示す場合、前記周期信号に基づいて、前記シンボルの方向を決定することを含む請求項６記載の方法。
【請求項１１】
前記１つ以上のシンボルの方向を決定することは、前記ＳＦＩが前記シンボルを予約済として示す場合、前記ＳＦＩに基づいて、前記シンボルの方向を決定することを含む請求項６記載の方法。
【請求項１２】
ワイヤレス通信のための装置において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信する手段と、
前記ＳＦＩと競合するスケジューリングされた送信を決定する手段と、
前記受信したＳＦＩに基づいて、または、前記スケジューリングされた送信の方向に基づいて、前記１つ以上のシンボルの方向をアップリンクまたはダウンリンクとして決定する手段と、
前記１つ以上のシンボルに対して決定した方向に基づいて、前記１つ以上のシンボル中で送信または受信する手段とを具備する装置。
【請求項１３】
前記ダウンリンク制御チャネルは、グループ共通物理ダウンリンク制御チャネル（ＧＣ  ＰＤＣＣＨ）を含む請求項１２記載の装置。
【請求項１４】
前記送信は、受信したダウンリンク制御情報（ＤＣＩ）によってスケジューリングされ、
前記１つ以上のシンボルの方向を決定する手段は、前記ＤＣＩによってスケジューリングされた送信の方向に優先権を与える手段を備える請求項１２記載の装置。
【請求項１５】
前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる請求項１４記載の装置。
【請求項１６】
前記送信は、受信したダウンリンク制御情報（ＤＣＩ）によってスケジューリングされ、
前記１つ以上のシンボルの方向を決定する手段は、
前記ＤＣＩが以前のスロットで受信されていた場合、前記ＳＦＩに優先権を与える手段と、
前記ＤＣＩが前記現在のスロットで受信された場合、前記ＤＣＩに優先権を与える手段とを備える請求項１２記載の装置。
【請求項１７】
前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または空として示されている前記シンボルのうちの１つにおけるアップリンク周期信号のうちの少なくとも１つを含む請求項１２記載の装置。
【請求項１８】
前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む請求項１７記載の装置。
【請求項１９】
前記周期信号に対してスケジューリングされたシンボルに対する許可を含むダウンリンク制御情報（ＤＣＩ）を受信する手段をさらに具備し、
前記１つ以上のシンボルの方向を決定する手段は、前記ＤＣＩ中の許可に基づいて、前記シンボルの方向を決定する手段を備える請求項１７記載の装置。
【請求項２０】
前記１つ以上のシンボルの方向を決定する手段は、前記ＳＦＩがそのシンボルに対する方向を示す場合、前記ＳＦＩに基づいて、前記シンボルの方向を決定する手段を備える請求項１７記載の装置。
【請求項２１】
前記１つ以上のシンボルの方向を決定する手段は、前記ＳＦＩが前記シンボルを空として示す場合、前記周期信号に基づいて、前記シンボルの方向を決定する手段を備える請求項１７記載の装置。
【請求項２２】
前記１つ以上のシンボルの方向を決定する手段は、前記ＳＦＩが前記シンボルを予約済として示す場合、前記ＳＦＩに基づいて、前記シンボルの方向を決定する手段を備える請求項１７記載の装置。
【請求項２３】
ワイヤレス通信のための装置において、
少なくとも現在のスロット中の１つ以上のシンボルが、アップリンクに対するものであるか、または、ダウンリンクに対するものであるかを示す、スロットフォーマットインジケータ（ＳＦＩ）を伝えるダウンリンク制御チャネルを受信するように構成されているトランシーバと、
メモリに結合されている少なくとも１つのプロセッサとを具備し、
前記少なくとも１つのプロセッサは、
前記ＳＦＩと競合するスケジューリングされた送信を決定し、
前記受信したＳＦＩに基づいて、または、前記スケジューリングされた送信の方向に基づいて、前記１つ以上のシンボルの方向をアップリンクまたはダウンリンクとして決定するように構成され、
前記トランシーバは、前記１つ以上のシンボルに対して決定した方向に基づいて、前記１つ以上のシンボル中で送信または受信するようにさらに構成されている装置。
【請求項２４】
前記ダウンリンク制御チャネルは、グループ共通物理ダウンリンク制御チャネル（ＧＣ  ＰＤＣＣＨ）を含む請求項２３記載の装置。
【請求項２５】
前記送信は、受信したダウンリンク制御情報（ＤＣＩ）によってスケジューリングされ、
前記少なくとも１つのプロセッサは、前記ＤＣＩによってスケジューリングされた送信の方向に優先権を与えることによって、前記１つ以上のシンボルの方向を決定するように構成されている請求項２３記載の装置。
【請求項２６】
前記ＳＦＩによって非アップリンクとして示されるシンボル中で送信するように前記ＵＥをスケジューリングする、または、前記ＳＦＩによって非ダウンリンクとして示されるシンボル中で受信するように前記ＵＥをスケジューリングする、前記ＤＣＩ中の許可または前記ＤＣＩ中のＡＣＫ／ＮＡＣＫタイミング情報のうちの少なくとも１つによって、前記送信はスケジューリングされる請求項２５記載の装置。
【請求項２７】
前記送信は、受信したダウンリンク制御情報（ＤＣＩ）によってスケジューリングされ、
前記少なくとも１つのプロセッサは、
前記ＤＣＩが以前のスロットで受信されていた場合、前記ＳＦＩに優先権を与えることによって、
前記ＤＣＩが前記現在のスロットで受信された場合、前記ＤＣＩに優先権を与えることによって、
前記１つ以上のシンボルの方向を決定するように構成されている請求項２３記載の装置。
【請求項２８】
前記スケジューリングされた送信は、前記ＳＦＩによってアップリンク、予約済、または、空として示されている前記シンボルのうちの１つにおけるダウンリンク周期信号、あるいは、前記ＳＦＩによってダウンリンク、予約済、または空として示されている前記シンボルのうちの１つにおけるアップリンク周期信号のうちの少なくとも１つを含む請求項２３記載の装置。
【請求項２９】
前記周期信号は、チャネル状態情報基準信号（ＣＳＩ−ＲＳ）、１次同期信号（ＰＳＳ）、２次同期信号（ＳＳＳ）、物理ブロードキャストチャネル（ＰＢＣＨ）、半永続スケジューリング（ＳＰＳ）、サウンディング基準信号（ＳＲＳ）、または、チャネル状態情報（ＣＳＩ）を伝える物理アップリンク制御チャネル（ＰＵＣＣＨ）のうちの少なくとも１つを含む請求項２８記載の装置。
【請求項３０】
前記送信機は、前記周期信号に対してスケジューリングされたシンボルに対する許可を含むダウンリンク制御情報（ＤＣＩ）を受信するように構成され、
前記少なくとも１つのプロセッサは、前記ＤＣＩ中の許可に基づいて、前記シンボルの方向を決定するように構成されている請求項２８記載の装置。
【請求項３１】
前記少なくとも１つのプロセッサは、前記ＳＦＩがそのシンボルに対する方向を示す場合、前記ＳＦＩに基づいて、前記シンボルの方向を決定することによって、前記１つ以上のシンボルの方向を決定するように構成されている請求項２８記載の装置。
【請求項３２】
前記少なくとも１つのプロセッサは、前記ＳＦＩが前記シンボルを空として示す場合、前記周期信号に基づいて、前記シンボルの方向を決定することによって、前記１つ以上のシンボルの方向を決定するように構成されている請求項２８記載の装置。
【請求項３３】
前記少なくとも１つのプロセッサは、前記ＳＦＩが前記シンボルを予約済として示す場合、前記ＳＦＩに基づいて、前記シンボルの方向を決定することによって、前記１つ以上のシンボルの方向を決定するように構成されている請求項２８記載の装置。
【請求項３４】
ユーザ機器（ＵＥ）によるワイヤレス通信のための方法において、
スロットフォーマットインジケータ（ＳＦＩ）とスロットアグリゲーションレベルの表示とを含むダウンリンク制御チャネルを受信することと、
前記受信したＳＦＩと前記スロットアグリゲーションレベルとに基づいて、現在のスロットのフォーマットを決定することとを含む方法。
【請求項３５】
前記受信したＳＦＩと前記スロットアグリゲーションレベルとに基づいて、１つ以上の将来のスロットのフォーマットを決定することをさらに含む請求項３４記載の方法。
【請求項３６】
前記ダウンリンク制御チャネルは、グループ共通物理ダウンリンク制御チャネル（ＧＣ  ＰＤＣＣＨ）を含む請求項３４記載の方法。
【請求項３７】
どのシンボルがアップリンクに対するものであり、どのシンボルがダウンリンクに対するものであるかを含む、アグリゲーションされるスロットのフォーマットに関連する情報を前記ＳＦＩは含む請求項３４記載の方法。
【請求項３８】
前記ダウンリンク制御チャネルは、アグリゲーションされるスロットの最初のスロット中でのみ受信される請求項３４記載の方法。
【請求項３９】
前記ＳＦＩ中の情報がダウンリンク制御情報（ＤＣＩ）中の情報と競合するか否かを決定することと、
前記ＤＣＩ中の情報に優先権を与えることとをさらに含む請求項３４記載の方法。
【請求項４０】
前記ＳＦＩ中の情報がダウンリンク制御情報（ＤＣＩ）中の情報と競合するか否かを決定することと、
前記ＤＣＩが以前のスロットで受信されていた場合、前記ＳＦＩ中の情報に優先権を与えることとをさらに含む請求項３４記載の方法。
【請求項４１】
シンボルに対する前記ＳＦＩによって示されるシンボルに対する送信方向が、そのシンボル中で送信されることになる周期シグナリングの送信方向と競合するか否かを決定することと、
前記シンボルに対して適用する送信方向を決定することとをさらに含む請求項３４記載の方法。
【請求項４２】
そのシンボルに対する許可を有するダウンリンク制御情報（ＤＣＩ）が受信された場合、前記適用する送信方向は、前記ＤＣＩに基づいて決定される請求項４１記載の方法。
【請求項４３】
そのシンボルに対する許可を有するＤＣＩが受信されなかった場合、前記適用する送信方向は、前記ＳＦＩに基づいて決定される請求項４２記載の方法。
【請求項４４】
そのシンボルに対する許可を有するＤＣＩが受信されず、前記ＳＦＩが空である場合、前記適用する送信方向は、前記周期シグナリングに基づいて決定される請求項４２記載の方法。
【請求項４５】
そのシンボルに対する許可を有するダウンリンク制御情報（ＤＣＩ）が現在のスロットで受信された場合、前記適用する送信方向は、前記ＤＣＩに基づいて決定される請求項４１記載の方法。
【請求項４６】
そのシンボルに対する許可を有するＤＣＩが前記現在のスロットで受信されなかった場合、前記適用する送信方向は、前記ＳＦＩに基づいて決定される請求項４５記載の方法。
【請求項４７】
そのシンボルに対する許可を有するＤＣＩが前記現在のスロットで受信されず、前記ＳＦＩが空である場合、前記適用する送信方向は、前記周期シグナリングに基づいて決定される請求項４５記載の方法。
【請求項４８】
基地局（ＢＳ）によるワイヤレス通信のための方法において、
スロットアグリゲーションレベルとアグリゲーションされるスロットのフォーマットとを決定することと、
前記アグリゲーションされるスロットのフォーマットを示すスロットフォーマットインジケータ（ＳＦＩ）と前記スロットアグリゲーションレベルの表示とを含むダウンリンク制御チャネルを送ることとを含む方法。
【請求項４９】
前記ダウンリンク制御チャネルは、グループ共通物理ダウンリンク制御チャネル（ＧＣ  ＰＤＣＣＨ）を含む請求項４８記載の方法。
【請求項５０】
どのシンボルがアップリンクに対するものであり、どのシンボルがダウンリンクに対するものであるかを含む、前記アグリゲーションされるスロットのフォーマットに関連する情報を前記ＳＦＩは含む請求項４８記載の方法。
【請求項５１】
前記ダウンリンク制御チャネルは、前記アグリゲーションされるスロットの最初のスロット中でのみ送られる請求項４８記載の方法。
【発明の詳細な説明】
【関連出願の相互参照および優先権主張】
【０００１】
［０００１］
本願は、２０１７年３月２４日に出願された米国仮特許出願シリアル番号第６２／４７６,６３４号の利益および優先権を主張する、２０１８年３月２１日に出願された米国出願番号第１５／９２７，７１６号の優先権を主張し、これらは両方とも、すべてに適用可能な目的のために、その全体が参照によりここに組み込まれている。
【開示の分野】
【０００２】
［０００２］
本開示の態様は、一般的にワイヤレス通信システムに関連し、より具体的には、新たな無線（ＮＲ）システムのような、あるシステムにおける、グループ共通物理ダウンリンク制御チャネル（ＧＣ  ＰＤＣＣＨ）中のスロットフォーマットインジケータ（ＳＦＩ）とスロットアグリゲーションレベル表示、および、ＳＦＩに対する競合取扱に関連する。
【関連技術の説明】
【０００３】
［０００３］
電話、ビデオ、データ、メッセージング、ブロードキャスト等のような、さまざまな電気通信サービスを提供するために、ワイヤレス通信システムが広く配備されている。これらのワイヤレス通信システムは、利用可能なシステムリソース（例えば、帯域幅および送信電力）を共有することによって複数のユーザとの通信をサポートできる多元接続テクノロジーを用いることがある。このような多元接続システムの例は、第３世代パートナーシッププロジェクト（３ＧＰＰ（登録商標））ロングタームエボリューション（ＬＴＥ（登録商標））システム、ＬＴＥアドバンスト（ＬＴＥ−Ａ）システム、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および、時分割同期コード分割多元接続（ＴＤ−ＳＣＤＭＡ）システムを含む。
【０００４】
［０００４］
いくつかの例では、ワイヤレス多元接続通信システムは、多数の基地局（ＢＳ）を含んでいてもよく、基地局のそれぞれは、さもなければユーザ機器（ＵＥ）として知られている複数の通信デバイスに対する通信を同時にサポートすることができる。ＬＴＥまたはＬＴＥ−Ａネットワークにおいて、１つ以上のＢＳのセットは、ｅノードＢ（ｅＮＢ）を規定していてもよい。他の例では（例えば、次世代、新たな無線（ＮＲ）、または、５Ｇネットワークでは）、ワイヤレス多元接続通信システムは、多数の中央ユニット（ＣＵ）（例えば、中央ノード（ＣＮ）、アクセスノード制御装置（ＡＣＮ）等）と通信する、多数の分散型ユニット（ＤＵ）（例えば、エッジユニット（ＥＵ）、エッジノード（ＥＮ）、無線ヘッド（ＲＨ）、スマート無線ヘッド（ＳＲＨ）、送受信ポイント（ＴＲＰ）等）を含んでいてもよく、ＣＵと通信する１つ以上のＤＵのセットは、（例えば、ＢＳ、次世代ＮＢ（ｇＮＢ）、ＴＲＰ等と呼ばれることがある）アクセスノードを規定していてもよい。ＢＳまたはＤＵは、（例えば、ＢＳからのまたはＵＥへの送信のための）ダウンリンクチャネル上で、および、（例えば、ＵＥからＢＳまたはＤＵへの送信のための）アップリンクチャネル上で、ＵＥのセットと通信してもよい。
【０００５】
［０００５］
これらの多元接続テクノロジーは、異なるワイヤレスデバイスが市区町村レベル、国レベル、地域レベル、さらにはグローバルレベルで通信することを可能にさせる共通のプロトコルを提供するために、さまざまな電気通信標準規格で採用されている。ＮＲは、新興の電気通信標準規格の１つの例である。ＮＲは、３ＧＰＰによって公表されたＬＴＥ移動体標準規格に対する拡張のセットである。ＮＲは、スペクトル効率を改善することと、コストを下げることと、サービスを改善することと、新たなスペクトルを活用することと、ダウンリンク（ＤＬ）上およびアップリンク（ＵＬ）上でサイクリックプリフィックス（ＣＰ）を有するＯＦＤＭＡを使用して、他のオープン標準規格とより良く統合することにより、移動体ブロードバンドインターネットアクセスをより良くサポートするとともに、ビーム形成、複数入力複数出力（ＭＩＭＯ）アンテナテクノロジー、および、搬送波アグリゲーションをサポートするように設計されている。
【０００６】
［０００６］
しかしながら、移動体ブロードバンドアクセスに対する需要が増加し続けるにつれて、ＮＲおよびＬＴＥテクノロジーにおけるさらなる改善の必要性が存在する。好ましくは、これらの改善は、他の多元接続テクノロジーおよびこれらのテクノロジーを用いる電気通信標準規格に適用可能であるべきである。
【概要】
【０００７】
［０００７］
本開示のシステム、方法、および、デバイスはそれぞれ、いくつかの態様を有し、これらのうちの何れも、その望ましい属性を単独で担うものではない。後続する特許請求の範囲により表す本開示の範囲を限定することなく、いくつかの特徴をこれから簡単に議論する。この議論を考慮した後に、および、特に「詳細な説明」と題されたセクションを読んだ後に、本開示の特徴が、ワイヤレスネットワーク中のアクセスポイントと局との間の改善された通信を含む利点をどのように提供するかを理解するだろう。
【０００８】
［０００８］
本開示のある態様は、一般的に、新たな無線（ＮＲ）システムのような、あるシステムにおける、共通物理ダウンリンク制御チャネル（ＧＣ  ＰＤＣＣＨ）中のスロットフォーマットインジケータ（ＳＦＩ）とスロットアグリゲーションレベル表示、および、ＳＦＩに対する競合取扱に関連する。
【０００９】
［０００９］
本開示のある態様は、例えば、ユーザ機器（ＵＥ）によって実行されてもよいワイヤレス通信のための方法を提供する。方法は一般的に、少なくとも現在のスロット中の１つ以上のシンボルが、アップリンクに対するものであるか、または、ダウンリンクに対するものであるかを示す、ＳＦＩを伝えるダウンリンク制御チャネルを受信することを含む。方法は、ＳＦＩと競合するスケジューリングされた送信を決定することを含む。方法は、受信したＳＦＩに基づいて、または、スケジューリングされた送信の方向に基づいて、１つ以上のシンボルの方向をアップリンクまたはダウンリンクとして決定することを含む。方法は、１つ以上のシンボルに対して決定した方向に基づいて、１つ以上のシンボル中で送信または受信することを含む。
【００１０】
［００１０］
本開示のある態様は、ＵＥのような、ワイヤレス通信のための装置を提供する。装置は、一般的に、少なくとも現在のスロット中の１つ以上のシンボルが、アップリンクに対するものであるか、または、ダウンリンクに対するものであるかを示す、ＳＦＩを伝えるダウンリンク制御チャネルを受信する手段を含む。装置は、ＳＦＩと競合するスケジューリングされた送信を決定する手段を含む。装置は、受信したＳＦＩに基づいて、または、スケジューリングされた送信の方向に基づいて、１つ以上のシンボルの方向をアップリンクまたはダウンリンクとして決定する手段を含む。装置は、１つ以上のシンボルに対して決定した方向に基づいて、１つ以上のシンボル中で送信または受信する手段を含む。
【００１１】
［００１１］
本開示のある態様は、ＵＥのような、ワイヤレス通信のための装置を提供する。装置は、一般的に、少なくとも現在のスロット中の１つ以上のシンボルが、アップリンクに対するものであるか、または、ダウンリンクに対するものであるかを示す、ＳＦＩを伝えるダウンリンク制御チャネルを受信するように構成されているトランシーバを含む。装置は、メモリに結合されている少なくとも１つのプロセッサを含み、少なくとも１つのプロセッサは、ＳＦＩと競合するスケジューリングされた送信を決定するように構成されている。少なくとも１つのプロセッサは、受信したＳＦＩに基づいて、または、スケジューリングされた送信の方向に基づいて、１つ以上のシンボルの方向をアップリンクまたはダウンリンクとして決定するようにさらに構成されている。トランシーバは、１つ以上のシンボルに対して決定した方向に基づいて、１つ以上のシンボル中で送信または受信するようにさらに構成されている。
【００１２】
［００１２］
本開示のある態様は、ワイヤレス通信のためのコンピュータ実行可能なコードを記憶しているコンピュータ読取可能媒体を提供する。コンピュータ実行可能なコードは、一般的に、少なくとも現在のスロット中の１つ以上のシンボルが、アップリンクに対するものであるか、または、ダウンリンクに対するものであるかを示す、ＳＦＩを伝えるダウンリンク制御チャネルを受信するためのコードを含む。コンピュータ実行可能なコードは、ＳＦＩと競合するスケジューリングされた送信を決定するためのコードを含む。コンピュータ実行可能なコードは、受信したＳＦＩに基づいて、または、スケジューリングされた送信の方向に基づいて、１つ以上のシンボルの方向をアップリンクまたはダウンリンクとして決定するためのコードを含む。コンピュータ実行可能なコードは、１つ以上のシンボルに対して決定した方向に基づいて、１つ以上のシンボル中で送信または受信するためのコードを含む。
【００１３】
［００１３］
本開示のある態様は、例えば、基地局（ＢＳ）によって実行されてもよいワイヤレス通信のための方法を提供する。方法は、一般的に、スロットアグリゲーションレベルとアグリゲーションされるスロットのフォーマットとを決定することを含む。方法は、アグリゲーションされるスロットのフォーマットを示すＳＦＩとスロットアグリゲーションレベルの表示とを含むダウンリンク制御チャネルを送ることを含む。
【００１４】
［００１４］
本開示のある態様は、例えば、ＵＥによって実行されてもよいワイヤレス通信のための方法を提供する。方法は、一般的に、ＳＦＩとスロットアグリゲーションレベルの表示とを含むダウンリンク制御チャネルを受信することを含む。方法は、受信したＳＦＩとスロットアグリゲーションレベルとに基づいて、現在のスロットのフォーマットを決定することを含む。
【００１５】
［００１５］
本開示のある態様は、ＢＳによるワイヤレス通信のための装置を提供する。装置は、一般的に、スロットアグリゲーションレベルとアグリゲーションされるスロットのフォーマットとを決定する手段を含む。装置は、アグリゲーションされるスロットのフォーマットを示すＳＦＩとスロットアグリゲーションレベルの表示とを含むダウンリンク制御チャネルを送る手段を含む。
【００１６】
［００１６］
本開示のある態様は、ＵＥによるワイヤレス通信のための装置を提供する。装置は、一般的に、ＳＦＩとスロットアグリゲーションレベルの表示とを含むダウンリンク制御チャネルを受信する手段を含む。装置は、受信したＳＦＩとスロットアグリゲーションレベルとに基づいて、現在のスロットのフォーマットを決定する手段を含む。
【００１７】
［００１７］
態様は、一般的に、添付の図面を参照してここで実質的に説明したような、および、添付の図面によって図示したような、方法、装置、システム、コンピュータ読取可能媒体、および、処理システムを含む。
【００１８】
［００１８］
上述のおよび関連する目的を達成するために、１つ以上の態様は、以下で十分に説明し、特許請求の範囲中で特に指摘する特徴を備えている。以下の説明および添付の図面は、１つ以上の態様のある例示的な特徴を詳細に述べる。しかしながらこれらの特徴は、さまざまな態様の原理を用いている、さまざまな方法のうちのいくつかだけを示しており、この説明はこのようなすべての態様、および、これらの均等物を含むことを意図している。
【図面の簡単な説明】
【００１９】
［００１９］
本開示の先に記載した特徴を詳細に理解できるように、上記で簡単に要約されているものより特定の説明を、態様への参照によって得てもよく、態様のうちのいくつかは、添付した図面中で図示されている。しかしながら、添付した図面は、本開示のある典型的な態様のみを図示しており、それゆえ、その範囲を限定するものとして考えられるものではなく、説明のために、他の同等に効果的な態様を認めてもよいことに留意すべきである。
【図１】［００２０］  図１は、本開示のある態様にしたがった、例示的な電気通信システムを概念的に図示したブロックダイヤグラムである。
【図２】［００２１］  図２は、本開示のある態様にしたがった、分散型無線アクセスネットワーク（ＲＡＮ）の例示的な論理アーキテクチャを図示したブロックダイヤグラムである。
【図３】［００２２］  図３は、本開示のある態様にしたがった、分散型ＲＡＮの例示的な物理アーキテクチャを図示したダイヤグラムである。
【図４】［００２３］  図４は、本開示のある態様にしたがった、例示的な基地局（ＢＳ）とユーザ機器（ＵＥ）の設計を概念的に図示したブロックダイヤグラムである。
【図５】［００２４］  図５は、本開示のある特定の態様にしたがった、通信プロトコルスタックを実現する例を示すダイヤグラムである。
【図６】［００２５］  図６は、本開示のある態様にしたがった、新たな無線（ＮＲ）システムに対する例示的なフレームフォーマットを図示している。
【図７】［００２６］  図７は、本開示のある態様にしたがった、各スロット中にスロットフォーマットインジケータ（ＳＦＩ）を有する例示的なアグリゲーションされるスロットである。
【図８】［００２７］  図８は、本開示のある態様にしたがった、最初のスロット中のみにＳＦＩを有する例示的なアグリゲーションされるスロットである。
【図９】［００２８］  図９は、本開示のある態様にしたがった、ワイヤレス通信のためにＢＳによって実行されてもよい例示的な動作を図示したフローダイヤグラムである。
【図１０】［００２９］  図１０は、本開示のある態様にしたがった、ワイヤレス通信のためにＵＥにより実行されてもよい例示的な動作を図示したフローダイヤグラムである。
【００２０】
［００３０］
理解を促進するために、可能な限り、図面に共通の同一の要素を指定するために、同一の参照番号が使用されている。１つの態様中で開示されている要素は、特定の詳述なく、他の態様で有益に利用できることが企図されている。
【詳細な説明】
【００２１】
［００３１］
本開示の態様は、ＮＲ（新たな無線アクセスまたは５Ｇテクノロジー）に対する装置、方法、処理システム、および、コンピュータ読取可能媒体を提供する。ＮＲは、広い帯域幅（例えば、８０ＭＨｚ以上）をターゲットとする拡張モバイルブロードバンド（ｅＭＢＢ）、高い搬送波周波数（例えば、２５ＧＨｚ以上）をターゲットとするミリ波（ｍｍｗ）、非下位互換性ＭＴＣ技術をターゲットとする大容量マシンタイプ通信ＭＴＣ（ｍＭＴＣ）、および／または、超高信頼低遅延通信（ＵＲＬＬＣ）をターゲットとするミッションクリティカルのような、さまざまなワイヤレス通信サービスをサポートするかもしれない。これらのサービスは、待ち時間と信頼性の要件を含んでいるかもしれない。これらのサービスはまた、それぞれのサービス品質（ＱｏＳ）の要件を満たすために、異なる送信時間間隔（ＴＴＩ）も有しているかもしれない。さらに、これらのサービスは、同じサブフレームに共存するかもしれない。
【００２２】
［００３２］
ＮＲでは、スロット、および、スロット内のシンボルは、ダウンリンク、アップリンク、空、（例えば、データのみに対して、または、制御のみに対して）予約済等のような、さまざまなコンフィギュレーションをとるかもしれない。スロットフォーマットインジケータ（ＳＦＩ）は、現在のスロット（および／または将来のスロット）のフォーマットを示す情報を伝えることができる。ＳＦＩは、スロットのダウンリンク領域で、例えば、グループ共通物理ダウンリンク制御チャネル（ＧＣ  ＰＤＣＣＨ）のようなダウンリンク制御チャネルで、伝えられるかもしれない。ＮＲでは、スロットは、アグリゲーションすることができる（アグリゲーションされるスロットとして呼ばれる）。いくつかの例では、アグリゲーションされるスロットは、中間に制御領域（アップリンクおよび／またはダウンリンク）を有している。このケースでは、ＳＦＩは、各スロットに対して送ることができる。しかしながら、いくつかのケースでは、アグリゲーションされるスロットの始めのみにダウンリンク制御領域がある。このケースでは、ユーザ機器（ＵＥ）がアグリゲーションレベルについていくつかの情報を有することが望ましい。
【００２３】
［００３３］
さらに、いくつかのケースでは、ＳＦＩは、ダウンリンク制御情報（ＤＣＩ）中の、許可またはＡＣＫ／ＮＡＣＫ（肯定応答／否定応答）タイミング、あるいは、周期シグナリングのような、他のスケジューリングされた送信と競合するかもしれない。したがって、ＳＦＩと他の送信のための競合取扱／解決のための技術が望ましい。
【００２４】
［００３４］
本開示の態様は、ダウンリンク制御チャネルにおけるＳＦＩとアグリゲーションレベル表示のための、および、ＳＦＩ競合取扱のための技術および装置を提供する。
【００２５】
［００３５］
以下の説明は、例を提供するものであり、特許請求の範囲において記載する範囲、適用可能性、または例を限定しない。本開示の範囲から逸脱することなく、説明する要素の機能および構成において、変更をしてもよい。さまざまな例は、適切に、さまざまな手順またはコンポーネントを、省略、置換、または追加してもよい。例えば、説明する方法は、説明したものとは異なる順序で実行してもよく、さまざまなステップを追加、省略、または組み合わせてもよい。さらに、いくつかの例に関して説明した特徴は、他の何らか例において組み合わせてもよい。例えば、ここで述べる任意の数の態様を使用して、装置を実現してもよく、または、方法を実施してもよい。さらに、ここで述べる本開示のさまざまな態様に加えて、または、ここで述べる開示のさまざまな態様以外の、他の構造を、機能性を、または、構造および機能性を使用して実施されるこのような装置または方法をカバーすることを、本開示の範囲は意図している。ここに開示されている本開示の任意の態様は、請求項の１つ以上の要素によって具現化してもよいことを理解すべきである。ワード「例示的」は、ここでは、「例、事例、または実例としての役割を果たす」という意味で使用される。「例示的」なものとしてここで説明する任意の態様は、必ずしも、他の態様よりも好ましい、または、利点を有すると解釈すべきではない。
【００２６】
［００３６］
ここで説明する技術を、ＬＴＥや、ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して使用してもよい。用語「ネットワーク」および「システム」は、交換可能に使用されることが多い。ＣＤＭＡネットワークは、ユニバーサル地上無線アクセス（ＵＴＲＡ）、ｃｄｍａ２０００等のような無線テクノロジーを実現してもよい。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５、および、ＩＳ−８５６標準規格をカバーしている。ＴＤＭＡネットワークは、グローバルシステムフォーモバイルコミュニケーション（ＧＳＭ（登録商標））のような無線テクノロジーを実現してもよい。ＯＦＤＭＡネットワークは、ＮＲ（例えば、５Ｇ  ＲＡ）、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュ−ＯＦＤＭＡ（登録商標）等のような無線テクノロジーを実現してもよい。ＵＴＲＡおよびＥ−ＵＴＲＡは、ユニバーサルモバイルテレコミュニケーションシステム（ＵＭＴＳ）の一部である。ＮＲは、５Ｇテクノロジーフォーラム（５ＧＴＦ）に関連して開発中である新興のワイヤレス通信テクノロジーである。３ＧＰＰ（登録商標）ロングタームエボリューション（ＬＴＥ（登録商標））およびＬＴＥ−アドバンスト（ＬＴＥ−Ａ）は、Ｅ−ＵＴＲＡを使用するＵＭＴＳのリリースである。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている組織からの文書中に説明されている。ｃｄｍａ２０００およびＵＭＢは、「第３世代パートナーシッププロジェクト２」（３ＧＰＰ２）と名付けられている組織からの文書中に説明されている。ここで説明する技術は、上述したワイヤレスネットワークおよび無線テクノロジーとともに、他のワイヤレスネットワークおよび無線テクノロジーに対して使用してもよい。明確にするために、３Ｇおよび／または４Ｇのワイヤレステクノロジーに共通して関係付けられている専門用語を使用して、ここで態様を説明しているが、本開示の態様は、ＮＲテクノロジーを含む、５Ｇおよびその後の世代のような、他世代ベースの通信システムで適用できる。
【００２７】
例示的なワイヤレス通信システム
［００３７］
図１は、本開示の態様を実行してもよい、例示的なワイヤレス通信ネットワーク１００を図示している。例えば、ワイヤレス通信ネットワーク１００は、新たな無線（ＮＲ）または５Ｇネットワークであってもよい。図１中で図示しているように、ワイヤレスネットワーク１００は、多数の基地局（ＢＳ）１１０とユーザ機器（ＵＥ）１２０とを含んでいてもよい。ワイヤレスネットワーク１００中のＢＳ１１０は、スロットアグリゲーションレベルとアグリゲーションされるスロットのフォーマットとを決定し、ダウンリンク制御チャネル中で（例えば、グループ共通物理ダウンリンク制御チャネル（ＧＣ  ＰＤＣＨ）中で）アグリゲーションされるスロットのフォーマットを示すスロットフォーマットインジケータ（ＳＦＩ）をＵＥ１２０に送ることができる。さらに、ＢＳは、ダウンリンク制御チャネル中でスロットアグリゲーションレベルの表示をＵＥ１２０に送ることができる。ＵＥ１２０は、ＳＦＩとスロットアグリゲーションレベルの表示とを含むダウンリンク制御チャネルを受信し、受信したＳＦＩとスロットアグリゲーションレベルとに基づいて、現在のスロットのフォーマットを決定することができる。ＢＳ１１０は、ＳＦＩと競合する、アップリンクまたはダウンリンク許可を含むあるいはＡＣＫ／ＮＡＣＫタイミング情報を含むダウンリンク制御情報（ＤＣＩ）を送ってもよい。また、ＢＳ１１０および／またはＵＥ１２０は、ＳＦＩと競合するかもしれないアップリンクまたはダウンリンクの周期シグナリングにより構成されていてもよい。ＵＥ１２０は、スロット中のシンボルに対して、ＳＦＩ、ＤＣＩ、または周期シグナリングにしたがうか否かを決定してもよい。
【００２８】
［００３８］
ＢＳは、ＵＥと通信する局であってもよい。各ＢＳ１１０は、特定の地理的エリアに対する通信カバレッジを提供してもよい。３ＧＰＰにおいて、用語「セル」は、用語が使用される文脈に依存して、ノードＢ（ＮＢ）のカバレッジエリア、および／または、このカバレッジエリアを担当しているＮＢサブシステムのカバレッジエリアを指すことがある。ＮＲシステムでは、用語「セル」および次世代ＮＢ（ｇＮＢ）、ＢＳ、ＮＲ  ＢＳ、ＢＳ、送受信ポイント（ＴＲＰ）等は、交換可能であってもよい。いくつかの例において、セルは、必ずしも静的でなくてもよく、セルの地理的エリアは、移動体ＢＳのロケーションにしたがって移動してもよい。いくつかの例では、直接的な物理接続、仮想ネットワーク、または、任意の適切な伝送ネットワークを使用する同様のもののような、さまざまなタイプのバックホールインターフェースを通して、ＢＳは、ワイヤレス通信ネットワーク１００中の、１つの別のＢＳおよび／または１つ以上の他のＢＳあるいは（示していない）ネットワークノードとに相互接続されてもよい。
【００２９】
［００３９］
一般的に、任意の数のワイヤレスネットワークが、所定の地理的エリアに配備されていてもよい。各ワイヤレスネットワークは、特定の無線アクセステクノロジー（ＲＡＴ）をサポートしてもよく、１つ以上の周波数で動作してもよい。ＲＡＴはまた、無線テクノロジー、エアインターフェース等と呼ばれることがある。周波数はまた、搬送波、周波数チャネル、トーン、副帯域、副搬送波等と呼ばれることがある。各周波数は、異なるＲＡＴのワイヤレスネットワーク間の干渉を回避するために、所定の地理的エリアで単一のＲＡＴをサポートしてもよい。いくつかのケースでは、ＮＲまたは５Ｇ  ＲＡＴネットワークが配備されてもよい。
【００３０】
［００４０］
ＢＳは、マクロセル、ピコセル、フェムトセル、および／または、他のタイプのセルに対する通信カバレッジを提供してもよい。マクロセルは、比較的広い地理エリア（例えば、半径数キロメートル）をカバーし、サービス加入を有するＵＥによる無制限のアクセスを可能にすることができる。ピコセルは、比較的狭い地理エリアをカバーし、サービス加入を有するＵＥによる無制限のアクセスを可能にすることができる。フェムトセルは、比較的狭い地理的エリア（例えば、家）をカバーすることができ、フェムトセルとの関係を有するＵＥ（例えば、閉じられた加入者グループ中のＵＥ（ＣＳＧ）、家中のユーザに対するＵＥ等）による制限されたアクセスを可能にすることができる。マクロセルに対するＢＳは、マクロＢＳとして呼ばれることがある。ピコセルに対するＢＳは、ピコＢＳとして呼ばれることがある。フェムトセルに対するＢＳは、フェムトＢＳまたはホームＢＳとして呼ばれることがある。図１中に示す例において、ＢＳ１１０ａ、１１０ｂおよび１１０ｃは、それぞれ、マクロセル１０２ａ、１０２ｂおよび１０２ｃに対するマクロＢＳであってもよい。ＢＳ１１０ｘは、ピコセル１０２ｘに対するピコＢＳであってもよい。ＢＳ１１０ｙおよび１１０ｚは、それぞれ、フェムトセル１０２ｙおよび１０２ｚに対するフェムトＢＳであってもよい。ＢＳは、１つまたは複数（例えば、３つ）のセルをサポートしてもよい。
【００３１】
［００４１］
ワイヤレス通信ネットワーク１００は、中継局も含んでいてもよい。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥに対する送信を中継するＵＥであってもよい。図１に示す例において、中継局１１０ｒは、ＢＳ１１０ａとＵＥ１２０ｒとの間の通信を促進するために、ＢＳ１１０ａおよびＵＥ１２０ｒと通信してもよい。中継局はまた、中継ＢＳ、中継器等として呼ばれることがある。
【００３２】
［００４２］
ワイヤレスネットワーク１００は、異なるタイプのＢＳ（例えば、マクロＢＳ、ピコＢＳ、フェムトＢＳ、中継器等）を含むヘテロジニアスネットワークであってもよい。これらの異なるタイプのＢＳは、ワイヤレス通信ネットワーク１００において、異なる送信電力レベル、異なるカバレッジエリア、および、干渉に対する異なる影響を有しているかもしれない。例えば、マクロＢＳは、高い送信電力レベル（例えば、２０ワット）を有しているかもしれないのに対し、ピコＢＳ、フェムトＢＳ、および、中継器は、より低い送信電力レベル（例えば、１ワット）を有しているかもしれない。
【００３３】
［００４３］
ワイヤレス通信ネットワーク１００は、同期動作または非同期動作をサポートしてもよい。同期動作について、ＢＳは、同様のフレームタイミングを有していてもよく、異なるＢＳからの送信は、時間的にほぼ整列されていてもよい。非同期動作について、ＢＳは、異なるフレームタイミングを有していてもよく、異なるＢＳからの送信は、時間的に整列されていないかもしれない。
【００３４】
［００４４］
ネットワーク制御装置１３０は、ＢＳのセットに結合され、これらのＢＳに対する調整および制御を提供してもよい。ネットワーク制御装置１３０は、バックホールを介してＢＳ１１０と通信してもよい。ＢＳ１１０はまた、ワイヤレスまたはワイヤラインバックホールを介して、（例えば、直接的または間接的に）互いに通信してもよい。
【００３５】
［００４５］
ＵＥ１２０（例えば、１２０ｘ、１２０ｙ等）は、ワイヤレスネットワーク１００全体を通して分散していてもよく、各ＵＥは、静的または移動体であってもよい。ＵＥはまた、移動局、端末、アクセス端末、加入者ユニット、局、顧客構内機器（ＣＰＥ）、セルラ電話機、スマートフォン、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、カメラ、ゲーミングデバイス、ネットブック、スマートブック、ウルトラブック、医療デバイスまたは医療機器、生体センサ／デバイス、スマートウォッチや、スマートクロージングや、スマートグラスや、スマートリストバンドや、スマートジュエリー（例えば、スマートリング、スマートブレスレット等）のようなウェアラブルデバイス、エンターテイメントデバイス（例えば、音楽デバイス、ビデオデバイス、衛星ラジオ等）、車両コンポーネントまたはセンサ、スマートメーター／センサ、産業製造機器、グローバルポジショニングシステムデバイス、あるいは、ワイヤレスまたはワイヤード媒体を介して通信するように構成されている他の何らかの適切なデバイスとして呼ばれることがある。いくつかのＵＥを、機械タイプ通信（ＭＴＣ）デバイスまたは進化型ＭＴＣ（ｅＭＴＣ）デバイスと見なしてもよい。ＭＴＣまたはｅＭＴＣ  ＵＥは、ＢＳ、別のデバイス（例えば、遠隔デバイス）、または、他の何らかのエンティティと通信してもよい、例えば、ロボット、ドローン、遠隔デバイス、センサ、メーター、モニタ、ロケーションタグ等を含む。ワイヤレスノードは、例えば、ワイヤードまたはワイヤレス通信リンクを介して、ネットワーク（例えば、インターネットまたはセルラネットワークのような広域ネットワーク）のための、または、ネットワークへの、接続性を提供してもよい。いくつかのＵＥをインターネットオブシングス（ＩｏＴ）デバイスと見なしてもよく、これは、狭帯域ＩｏＴ（ＮＢ−ＩｏＴ）デバイスであってもよい。
【００３６】
［００４６］
あるワイヤレスネットワーク（例えば、ＬＴＥ）は、ダウンリンク上では直交周波数分割多重化（ＯＦＤＭ）を利用し、アップリンク上では単一搬送波周波数分割多重化（ＳＣ−ＦＤＭ）を利用する。ＯＦＤＭおよびＳＣ−ＦＤＭは、システム帯域幅を複数（Ｋ個）の直交副搬送波に区分し、直交副搬送波は、通常、トーン、ビン等としても呼ばれる。各副搬送波は、データにより変調されてもよい。一般的に、変調シンボルは、ＯＦＤＭにより周波数ドメインで送られ、ＳＣ−ＦＤＭにより時間ドメインで送られる。隣接副搬送波間の間隔は固定されていてもよく、副搬送波の総数（Ｋ個）は、システム帯域幅に依存していてもよい。例えば、副搬送波の間隔は、１５ｋＨｚであってもよく、（「リソースブロック」（ＲＢ）と呼ばれる）最小リソース割り振りは、１２個の副搬送波（または１８０ｋＨｚ）であってもよい。結果的に、公称ＦＦＴサイズは、１．２５、２．５、５、１０、または、２０メガヘルツ（ＭＨｚ）のシステム帯域幅に対して、それぞれ、１２８、２５６、５１２、１０２４、または、２０４８と等しくてもよい。システム帯域幅はまた、副帯域に区分してもよい。例えば、副帯域は、１．０８ＭＨｚ（すなわち、６個のリソースブロック）をカバーしてもよく、１．２５、２．５、５、１０、または、２０ＭＨｚのシステム帯域幅に対して、それぞれ１、２、４、８、または、１６個の副帯域が存在していてもよい。
【００３７】
［００４７］
ここで説明する例の態様は、ＬＴＥテクノロジーに関係付けられているかもしれないが、本開示の態様は、ＮＲのような他のワイヤレス通信システムに適用可能であってもよい。ＮＲは、アップリンクおよびダウンリンク上でＣＰを有するＯＦＤＭを利用してもよく、ＴＤＤを使用する半二重動作に対するサポートを含んでいてもよい。ビーム形成をサポートしてもよく、ビーム方向を動的に構成してもよい。プリコーディングを有するＭＩＭＯ送信もサポートしてもよい。ＤＬ中のＭＩＭＯコンフィギュレーションは、８本までの送信アンテナをサポートしてもよく、マルチレイヤＤＬ送信は、８ストリームまでであり、ＵＥ毎に２ストリームまでである。ＵＥ毎に２ストリームまでのマルチレイヤ送信をサポートしてもよい。複数のセルのアグリゲーションを、８個までの担当セルによりサポートしてもよい。
【００３８】
［００４８］
いくつかの例では、エアインターフェースへのアクセスがスケジューリングされてもよい。スケジューリングエンティティ（例えば、ＢＳ）は、そのサービスエリアまたはセル内のいくつかのまたはすべてのデバイスおよび機器間の通信に対して、リソースを割り振る。スケジューリングエンティティは、１つ以上の下位エンティティに対するリソースを、スケジューリングし、割り当て、再構成し、および、解放することを担ってもよい。すなわち、スケジューリングされた通信に対して、下位エンティティは、スケジューリングエンティティによって割り振られるリソースを利用する。ＢＳは、スケジューリングエンティティとして機能してもよい唯一のエンティティではない。いくつかの例では、ＵＥは、１つ以上の下位エンティティ（例えば、１つ以上の他のＵＥ）に対するリソースをスケジューリングするスケジューリングエンティティとして機能してもよく、他のＵＥは、ワイヤレス通信のためにＵＥによってスケジューリングされるリソースを利用する。ＵＥは、ピアツーピア（Ｐ２Ｐ）ネットワーク、および／または、メッシュネットワークにおいて、スケジューリングエンティティとして機能してもよい。メッシュネットワークの例では、ＵＥは、スケジューリングエンティティと通信することに加えて、互いに直接通信してもよい。
【００３９】
［００４９］
図１において、両側矢印の実線は、ＵＥと担当ＢＳとの間の所望の送信を示し、担当ＢＳは、ダウンリンクおよび／またはアップリンク上でＵＥを担当するように指定されたＢＳである。両側矢印の破線は、ＵＥとＢＳとの間の干渉する送信を示す。
【００４０】
［００５０］
図２は、分散型ＲＡＮ２００の例示的な論理アーキテクチャを図示しており、これは、図１中に図示されているワイヤレス通信ネットワーク１００中で実現してもよい。５Ｇアクセスノード２０６は、アクセスノード制御装置（ＡＮＣ）２０２を含んでいてもよい。ＡＮＣ２０２は、分散型ＲＡＮ２００のＣＵであってもよい。次世代コアネットワーク（ＮＧ−ＣＮ）２０４へのバックホールインターフェースは、ＡＮＣ２０２で終端してもよい。隣接する次世代アクセスノード（ＮＧ−ＡＮ）２１０へのバックホールインターフェースは、ＡＮＣ２０２で終端してもよい。ＡＮＣ２０２は、１つ以上のＴＲＰ２０８（例えば、セル、ＢＳ、ｇＮＢ等）を含んでいてもよい。ＴＲＰ２０８は、ＤＵであってもよい。ＴＲＰ２０８は、単一のＡＮＣ（例えばＡＮＣ２０２）に接続されていてもよく、または、（図示していない）１つより多くのＡＮＣに接続されていてもよい。例えば、ＲＡＮ共有、ラジオアズアサービス（ＲａａＳ）、および、サービス特有のＡＮＤ配備に対して、ＴＲＰ２０８は、１つより多くのＡＮＣに接続されていてもよい。ＴＲＰ２０８は、１つ以上のアンテナポートを含んでいてもよい。ＴＲＰ２０８は、個々に（例えば、動的選択）、または、一緒に（例えば、ジョイント送信）、ＵＥへのトラフィックを供給するように構成されていてもよい。
【００４１】
［００５１］
分散型ＲＡＮ２００の論理アーキテクチャは、異なる配備タイプに渡るフロントホール解決法をサポートしてもよい。例えば、論理アーキテクチャは、送信ネットワーク能力（例えば、帯域幅、待ち時間、および／または、ジッタ）に基づいていてもよい。分散型ＲＡＮ２００の論理アーキテクチャは、特徴および／またはコンポーネントをＬＴＥと共有してもよい。ＮＧ−ＡＮ２１０は、ＮＲとのデュアル接続をサポートしてもよく、ＬＴＥおよびＮＲに対する共通フロントホールを共有してもよい。分散型ＲＡＮ２００の論理アーキテクチャは、例えば、ＡＮＣ２０２を介して、ＴＲＰ内でおよび／またはＴＲＰに渡って、ＴＲＰ２０８間のおよびＴＲＰ２０８中の協調を可能にしてもよい。
【００４２】
［００５２］
論理機能は、分散型ＲＡＮ２００の論理アーキテクチャ中で動的に分散させてもよい。図５を参照してさらに詳細に説明するように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤは、ＤＵ（例えば、ＴＲＰ２０８）またはＣＵ（例えば、ＡＮＣ２０２）において適応可能に配置してもよい。
【００４３】
［００５３］
図３は、本開示の態様にしたがう、分散型ＲＡＮ３００の例示的な物理的アーキテクチャを図示している。集中型コアネットワークユニット（Ｃ−ＣＵ）３０２は、コアネットワーク機能をホスト管理してもよい。Ｃ−ＣＵ３０２は、中央に配備されていてもよい。Ｃ−ＣＵ３０２機能性は、ピーク能力を取り扱うために、（例えば、アドバンストワイヤレスサービス（ＡＷＳ）に）オフロードしてもよい。
【００４４】
［００５４］
集中型ＲＡＮユニット（Ｃ−ＲＵ）３０４は、１つ以上のＡＮＣ機能をホスト管理してもよい。Ｃ−ＲＵ３０４は、コアネットワーク機能をローカルにホスト管理してもよい。Ｃ−ＲＵ３０４は、分散された配備を有していてもよい。Ｃ−ＲＵ３０４は、ネットワークエッジの近くに位置付けられていてもよい。
【００４５】
［００５５］
ＤＵ３０６は、１つ以上のＴＲＰ（エッジノード（ＥＮ）、エッジユニット（ＥＵ）、無線ヘッド（ＲＨ）、スマート無線ヘッド（ＳＲＨ）、または、これらに類するもの）をホスト管理してもよい。ＤＵ３０６は、無線周波数（ＲＦ）機能性を有するネットワークのエッジに位置付けられていてもよい。
【００４６】
［００５６］
図４は、図１中で図示したＢＳ１１０およびＵＥ１２０の例示的なコンポーネントを図示しており、これらは、本開示の態様を実現するために使用してもよい。例えば、アンテナ４５２、Ｔｘ／Ｒｘ２２２、プロセッサ４６６、４５８、４６４、ならびに／あるいは、ＵＥ１２０および／またはアンテナ４３４の制御装置／プロセッサ４８０、プロセッサ４６０、４２０、４３８、ならびに／あるいは、ＢＳ１１０の制御装置／プロセッサ４４０は、ここで説明し、図９および１０を参照して図示する動作を実行するために使用してもよい。
【００４７】
［００５７］
ＢＳ１１０では、送信プロセッサ４２０が、データソース４１２からデータを、そして制御装置／プロセッサ４４０から制御情報を受け取ってもよい。制御情報は、物理ブロードキャストチャネル（ＰＢＣＨ）、物理制御フォーマットインジケータチャネル（ＰＣＦＩＣＨ）、物理ハイブリットＡＲＱインジケータチャネル（ＰＨＩＣＨ）、物理ダウンリンク制御チャネル（ＰＤＣＣＨ）、グループ共通ＰＤＣＣＨ（ＧＣ  ＰＤＣＣＨ）等のためのものであってもよい。データは、物理ダウンリンク共有チャネル（ＰＤＳＣＨ）等に対するものであってもよい。例えば、本開示のある態様にしたがうと、ＢＳ１１０は、ダウンリンク制御領域中で、スロットフォーマットインジケータ（ＳＦＩ）、スロットアグリゲーションレベル情報、および／または、ダウンリンク制御情報（ＤＣＩ）を送ることができる。プロセッサ４２０は、データおよび制御情報を処理して（例えばエンコードし、シンボルマッピングして）、データシンボルと制御シンボルをそれぞれ取得してもよい。プロセッサ４２０はまた、１次同期信号（ＰＳＳ）、２次同期信号（ＳＳＳ）、および、セル固有基準信号のような、基準シンボルを生成させてもよい。送信（ＴＸ）複数入力複数出力（ＭＩＭＯ）プロセッサ４３０は、適用可能な場合に、データシンボル、制御シンボル、および／または、基準シンボル上で、空間処理（例えば、プリコーディング）を実行してもよく、変調器（ＭＯＤ）４３２ａ〜４３２ｔに出力シンボルストリームを提供してもよい。各変調器４３２は、（例えば、ＯＦＤＭ等のために）それぞれの出力シンボルストリームを処理して、出力サンプルストリームを取得してもよい。各変調器４３２はさらに、出力サンプルストリームを処理（例えば、アナログに変換、増幅、フィルタリング、および、アップコンバート）して、ダウンリンク信号を取得してもよい。変調器４３２ａ〜４３２ｔからのダウンリンク信号は、それぞれ、アンテナ４３４ａ〜４３４ｔを介して送信されてもよい。
【００４８】
［００５８］
ＵＥ１２０において、アンテナ４５２ａ〜４５２ｒは、ＢＳ１１０からダウンリンク信号を受信してもよく、受信した信号をそれぞれ復調器（ＤＥＭＯＤ）４５４ａ〜４５４ｒに提供してもよい。例えば、本開示のある態様にしたがうと、ＵＥ１２０は、ダウンリンク制御領域中で、ＢＳ１１０から、スロットフォーマットインジケータ（ＳＦＩ）、スロットアグリゲーションレベル情報、および／または、ダウンリンク制御情報（ＤＣＩ）を受信できる。各復調器４５４は、それぞれの受信した信号を調整（例えば、フィルタリング、増幅、ダウンコンバート、および、デジタル化）して、入力サンプルを取得してもよい。各復調器４５４はさらに、（例えば、ＯＦＤＭ等のために）入力サンプルを処理して、受信したシンボルを取得してもよい。ＭＩＭＯ検出器４５６は、すべての復調器４５４ａ〜４５４ｒから受信したシンボルを取得し、適用可能な場合、受信したシンボルにおいてＭＩＭＯ検出を実行し、検出したシンボルを提供してもよい。受信プロセッサ４５８は、検出したシンボルを処理（例えば、復調、デインタリーブ、および、デコード）し、ＵＥ１２０のためにデコードされたデータをデータシンク４６０に提供し、デコードされた制御情報を制御装置／プロセッサ４８０に提供してもよい。
【００４９】
［００５９］
アップリンク上では、ＵＥ１２０において、送信プロセッサ４６４は、データソース４６２から（例えば、物理アップリンク共有チャネル（ＰＵＳＣＨ）のための）データを受け取って、処理してもよく、制御装置／プロセッサ４８０から（例えば、物理アップリンク制御チャネル（ＰＵＣＣＨ）のための）制御情報を受け取って、処理してもよい。送信プロセッサ４６４はまた、基準信号に対する（例えば、サウンディング基準信号（ＳＲＳ）に対する）基準シンボルを発生させてもよい。送信プロセッサ４６４からのシンボルは、適用可能な場合、ＴＸ  ＭＩＭＯプロセッサ４６６によってプリコードされ、さらに（例えば、ＳＣ−ＦＤＭ等のために）復調器４５４ａ〜４５４ｒによって処理され、ＢＳ１１０に送られてもよい。ＢＳ１１０において、ＵＥ１２０からのアップリンク信号は、アンテナ４３４によって受信され、変調器４３２によって処理され、適用可能な場合、ＭＩＭＯ検出器４３６によって検出され、さらに受信プロセッサ４３８によって処理されて、ＵＥ１２０によって送られてデコードされたデータおよび制御情報を取得してもよい。受信プロセッサ４３８は、デコードされたデータをデータシンク４３９に提供し、デコードされた制御情報を制御装置／プロセッサ４４０に提供してもよい。
【００５０】
［００６０］
制御装置／プロセッサ４４０および４８０はそれぞれ、ＢＳ１１０およびＵＥ１２０における動作を指示してもよい。プロセッサ４４０、ならびに／あるいは、基地局１１０における他のプロセッサおよびモジュールは、例えば、ここで説明する技術のためのさまざまなプロセスの実行を実施または指示してもよい。プロセッサ４８０、ならびに／あるいは、ＵＥ１２０における他のプロセッサおよびモジュールはまた、例えば、図１０中に図示した機能性ブロックの実行を、ならびに／あるいは、ここで説明した技術に対する他のプロセスを、実施または指示してもよい。例えば、本開示のある態様にしたがうと、ＵＥ１２０のプロセッサは、ＢＳ１１０から受け取った、ＳＦＩ、ＤＣＩ、および／または、スロットアグリゲーション情報に基づいて、ならびに／あるいは、周期シグナリングに基づいて、少なくとも現在のスロットにおける１つ以上のシンボルに対する方向を決定できる。プロセッサ４４０、ならびに／あるいは、ＢＳ１１０における他のプロセッサおよびモジュールはまた、例えば、図９中に図示した機能性ブロックの実行を、ならびに／あるいは、ここで説明した技術に対する他のプロセスを、実施または指示してもよい。メモリ４４２および４８２は、それぞれ、ＢＳ１１０およびＵＥ１２０のためのデータおよびプログラムコードを記憶していてもよい。スケジューラ４４４は、ダウンリンクおよび／またはアップリンク上でのデータ送信のためにＵＥをスケジューリングしてもよい。
【００５１】
［００６１］
図５は、本開示の態様にしたがった、通信プロトコルスタックを実現するための例を示すダイヤグラム５００を図示している。図示している通信プロトコルスタックは、５Ｇシステム（例えば、アップリンクベースのモビリティをサポートするシステム）中で動作するデバイスによって実現してもよい。ダイヤグラム５００は、ＲＲＣレイヤ５１０、ＰＤＣＰレイヤ５１５、ＲＬＣレイヤ５２０、ＭＡＣレイヤ５２５、および、ＰＨＹレイヤ５３０を含む通信プロトコルスタックを図示している。プロトコルスタックのレイヤは、ソフトウェアの別個のモジュール、プロセッサまたはＡＳＩＣの一部分、通信リンクによって接続されている非共通配置デバイスの一部分、あるいは、これらのさまざまな組み合わせとして実現してもよい。共通配置および非共通配置のインプリメンテーションは、例えば、ネットワークアクセスデバイス（例えば、ＡＮ、ＣＵ、および／または、ＤＵ）またはＵＥのためのプロトコルスタックで使用してもよい。
【００５２】
［００６２］
第１のオプション５０５−ａは、プロトコルスタックの分割インプリメンテーションを示しており、プロトコルスタックのインプリメンテーションは、集中型ネットワークアクセスデバイス（例えば、図２中のＡＮＣ２０２）と分散型ネットワークアクセスデバイス（例えば、図２中のＤＵ２０８）との間で分割される。第１のオプション５０５−ａにおいて、ＲＲＣレイヤ５１０とＰＤＣＰレイヤ５１５は、中央ユニットによって実現してもよく、ＲＬＣレイヤ５２０、ＭＡＣレイヤ５２５、および、ＰＨＹレイヤ５３０は、ＤＵによって実現してもよい。さまざま例において、ＣＵおよびＤＵは、共通配置または非共通配置してもよい。第１のオプション５０５−ａは、マクロセル、マイクロセル、または、ピコセル配備において有用であるかもしれない。
【００５３】
［００６３］
第２のオプション５０５−ｂは、プロトコルスタックの統一されたインプリメンテーションを示しており、プロトコルスタックが単一のネットワークアクセスデバイスにおいて実現される。第２のオプションにおいて、ＲＲＣレイヤ５１０、ＰＤＣＰレイヤ５１５、ＲＬＣレイヤ５２０、ＭＡＣレイヤ５２５、および、ＰＨＹレイヤ５３０は、ＡＮによってそれぞれ実現してもよい。第２のオプション５０５−ｂは、フェムトセル配備において有用であるかもしれない。
【００５４】
［００６４］
ネットワークアクセスデバイスがプロトコルスタックの一部分を実現するか、すべてを実現するかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、および、ＰＨＹレイヤ５３０）を実現してもよい。
【００５５】
［００６５］
ＬＴＥでは、基本送信時間間隔（ＴＴＩ）またはパケット期間は、１ｍｓサブフレームである。ＮＲでは、サブフレームは、依然として１ｍｓであるが、基本ＴＴＩは、スロットとして呼ばれる。サブフレームは、副搬送波間隔に依存して、変化する数のスロット（例えば、１、２、４、８、１６、．．．スロット）を含む。ＮＲ  ＲＢは１２個の連続周波数副搬送波である。ＮＲは、１５ｋＨｚの基本副搬送波間隔をサポートしてもよく、他の副搬送波間隔は、例えば、３０ｋＨｚ、６０ｋＨｚ、１２０ｋＨｚ、２４０ｋＨｚ等のような、基本副搬送波間隔に関して定義されていてもよい。シンボルとスロット長は、副搬送波間隔でスケーリングされる。ＣＰ長も、副搬送波間隔に依存する。
【００５６】
［００６６］
図６は、ＮＲに対するフレームフォーマット６００の例を示すダイヤグラムである。ダウンリンクおよびアップリンクのそれぞれに対する送信タイムラインは、無線フレームのユニットに区分してもよい。各無線フレームは、予め定められている期間（例えば、１０ｍｓ）を有してもよく、０ないし９のインデックスを有する、それぞれ１ｍｓである、１０個のサブフレームに区分してもよい。各サブフレームは、副搬送波間隔に依存して、変化する数のスロットを含んでいてもよい。各スロットは、副搬送波間隔に依存して、変化する数のシンボル期間（例えば、７または１４シンボル）を含んでいてもよい。各スロット中のシンボル期間には、インデックスが割り当てられていてもよい。ミニスロットは、サブスロット構造（例えば、２、３、または、４つのシンボル）である。
【００５７】
［００６７］
スロット中の各シンボルは、データ送信のためのリンク方向（例えば、ＤＬ、ＵＬ、または、フレキシブル）を示してもよく、各サブフレームに対するリンク方向を動的に切り替えてもよい。リンク方向は、スロットフォーマットに基づいていてもよい。各スロットは、ＤＬ／ＵＬデータとともにＤＬ／ＵＬ制御データを含んでいてもよい。
【００５８】
［００６８］
ＮＲでは、同期信号（ＳＳ）ブロックが送信される。ＳＳブロックは、ＰＳＳ、ＳＳＳ、および、２つのシンボルＰＢＣＨを含む。ＳＳブロックは、図６に示すように、シンボル０〜３のような、固定されたスロットロケーション中で送信できる。ＰＳＳおよびＳＳＳは、セルのサーチおよび捕捉のためにＵＥにより使用されてもよい。ＰＳＳは、半フレームタイミングを提供してもよく、ＳＳは、ＣＰ長とフレームタイミングを提供してもよい。ＰＳＳとＳＳＳは、セル識別子を提供してもよい。ＰＢＣＨは、ダウンリンクシステム帯域幅、無線フレーム内のタイミング情報、ＳＳバースト設定周期、システムフレーム数等のような、いくつかの基本システム情報を伝える。ＳＳブロックは、ＳＳバーストに編成され、ビームスイープをサポートする。残存最小システム情報（ＲＭＳＩ）、システム情報ブロック（ＳＩＢ）、他のシステム情報（ＯＳＩ）のような、さらなるシステム情報は、あるサブフレームにおける物理ダウンリンク共有チャネル（ＰＤＳＣＨ）上で送信することができる。
【００５９】
［００６９］
いくつかの状況では、２つ以上の下位エンティティ（例えば、ＵＥ）は、サイドリンク信号を使用して、互いに通信してもよい。このようなサイドリンク通信の現実世界のアプリケーションは、公衆安全、近接サービス、ＵＥ対ネットワーク中継、車対車（Ｖ２Ｖ）通信、インターネットオブエブリシング（ＩｏＥ）通信、ＩｏＴ通信、ミッションクリティカルメッシュ、および／または、他のさまざまな適切なアプリケーションを含んでいてもよい。一般的に、たとえ、スケジューリングエンティティがスケジューリングおよび／または制御目的で利用されるかもしれないとしても、サイドリンク信号は、スケジューリングエンティティ（例えば、ＵＥまたはＢＳ）を通してその通信を中継することなく、１つの下位エンティティ（例えば、ＵＥ）から別の下位エンティティ（例えば、別のＵＥ）に通信される信号を指してもよい。いくつかの例では、サイドリンク信号は、（典型的にライセンスされていないスペクトル使用するワイヤレスローカルエリアネットワークとは異なり）ライセンスされているスペクトルを使用して通信されてもよい。
【００６０】
ＧＣ  ＰＤＣＣＨ中の例示的なＳＦＩとスロットアグリゲーションレベル表示、および、ＳＦＩ競合取扱
［００７０］
ＮＲでは、スロットは、さまざまなコンフィギュレーションをとってもよい。例えば、スロット中のシンボルは、スロットフォーマットに基づいて、ダウンリンク、アップリンク、空（例えば、空のデータ領域）、予約済（例えば、データ領域のみ、制御のみ、または、データおよび制御等における、強制不連続送信（ＤＴＸ）または不連続受信（ＤＲＸ））等のような、異なるコンフィギュレーションを有していてもよい。
【００６１】
［００７１］
図１中に図示されているワイヤレス通信ネットワーク１００中のＢＳ１１０のような基地局（ＢＳ）は、ダウンリンク制御領域において、スロットフォーマットに関する情報をユーザ機器（ＵＥ）（例えば、ＵＥ１２０）に送ることができる。例えば、ＢＳは、グループ共通（ＧＣ）物理ダウンリンク制御チャネル（ＰＤＣＣＨ）のようなダウンリンク制御チャネルにおいて、情報をＵＥに送ることができる。ＧＣ  ＰＤＣＣＨは、ＵＥのグループに対して向けられている共通ダウンリンク制御情報（ＤＣＩ）を介して、スロットフォーマットインジケータ（ＳＦＩ）のような情報を伝えるチャネル、例えば、ＰＤＣＣＨを指す。ＵＥは、ＧＣ  ＰＤＣＣＨをデコードするように構成されている無線リソース制御（ＲＲＣ）であってもよい。ＳＦＩは、現在のスロットおよび／または将来のスロットのフォーマットを示す。ＵＥは、ＳＦＩ中の情報を使用して、スロット中のどのシンボルが、アップリンクまたはダウンリンクに対するものであるか、あるいは、（例えば、サイドリンク、ブランク、または、予約済のような）他の目的に対するものであるかを決定（識別、導出等）できる。
【００６２】
［００７２］
ＮＲでは、スロットは、アグリゲーションされてもよい。アグリゲーションされるスロットの数は、スロットアグリゲーションレベルに基づいている。スロットアグリゲーションのために、複数のスロット（現在および将来のスロット）に対するフォーマット情報のような追加情報を含めることが望ましいかもしれない。図７は、中間に制御領域（アップリンクおよび／またはダウンリンク）を有するアグリゲーションされるスロット７００を図示している。図７に図示するアグリゲーションされるスロット７００において、スロット７０２、７０４、および７０６は、始めにダウンリンク制御領域を有し、終わりにアップリンク制御領域をそれぞれ有している。したがって、ＳＦＩ７０３、７０５、７０７は、各スロット７０２、７０４、７０６のダウンリンク制御領域でそれぞれ送ることができる。しかしながら、スロットアグリゲーションを有するいくつかのケースでは、アグリゲーションされるスロットの始めのみにダウンリンク制御領域がある。図８中に示すように、アグリゲーションされるスロット８００は、ＳＦＩ８０３を送ることができる最初のスロット８０２にダウンリンク制御領域を、スロット８０６の終わりにアップリンク制御領域を有し、中間スロット８０４に制御領域はない。したがって、アグリゲーションされるスロットに対するフォーマットを示すための特別な取り扱いが望ましい。
【００６３】
［００７３］
さらに、以下でより詳細に説明するように、ＳＦＩは、ダウンリンク制御情報（ＤＣＩ）中の許可（アップリンクおよび／またはダウンリンク）、ＡＣＫ／ＮＡＣＫタイミング（例えば、ＡＣＫ／ＮＡＣＫフィードバックを提供するためのタイミング、または、ＨＡＲＱに対する再送信）、および／または、周期シグナリング（アップリンクまたはダウンリンク）によってスケジューリングされるもののような、他のスケジューリングされた送信と競合するかもしれない。例えば、ＳＦＩは、アップリンク、ダウンリンク、空、または、予約済に対するようなあるシンボルを示しているかもしれない一方で、そのシンボルに対してスケジューリングされた送信は、他の方向にあるかもしれない。したがって、ＳＦＩ競合取扱／解決のための技術も望ましい。
【００６４】
［００７４］
本開示の態様は、ダウンリンク制御チャネル中のＳＦＩとアグリゲーションレベル表示とに対する技術および装置とともに、ＳＦＩと他のシグナリングとの間の競合を取り扱うための技術（例えば、ルール）を提供する。
【００６５】
［００７５］
図９は、本開示のある態様にしたがった、ＳＦＩとスロットアグリゲーション表示とに対する例示的な動作９００を図示したフローダイヤグラムである。動作９００は、例えば、（例えば、ＢＳ１１０のような）ＢＳによって実行されてもよい。動作９００は、９０２において、スロットアグリゲーションレベルとアグリゲーションされるスロットのフォーマットとを決定することによって開始してもよい。９０４において、ＢＳは、アグリゲーションされるスロットのフォーマットを示すスロットフォーマットインジケータ（ＳＦＩ）とスロットアグリゲーションレベルの表示とを含むダウンリンク制御チャネル（例えば、ＧＣ  ＰＤＣＣＨ）を送る。
【００６６】
［００７６］
図１０は、本開示のある態様にしたがった、アグリゲーションされるスロットのフォーマットを決定するための例示的な動作１０００を図示したフローダイヤグラムである。動作１０００は、例えば、（例えば、ＵＥ１２０のような）ＵＥによって実行されてもよい。動作１０００は、ＢＳによって実行される動作９００に対する、ＵＥによる相補的な動作であってもよい。動作１０００は、１００２において、ＳＦＩとスロットアグリゲーションレベルの表示とを含むダウンリンク制御チャネルを受信することによって開始してもよい。１００４において、ＵＥは、受信したＳＦＩとスロットアグリゲーションレベルとに基づいて、現在のスロットのフォーマットを決定する（例えば、スロット中のシンボルに対して適用する方向を決定する）。態様において、ＵＥは、受信したＳＦＩとスロットアグリゲーションレベルとに基づいて、１つ以上の将来のスロットのフォーマットも同様に決定できる。例えば、ＵＥは、アグリゲーションされるスロットのそれぞれのフォーマットを決定できる。
【００６７】
［００７７］
ある態様にしたがうと、アグリゲーションされるスロットが、例えば、図８中に示すように中間に制御領域を有さないケースでは、ＳＦＩ中の情報に加えて、ダウンリンク制御チャネル中に（例えば、ＧＣ  ＰＤＣＣＨ中に）追加の情報を含めることが望ましいかもしれない。例えば、（例えば、アグリゲーションされるスロットの数を示す）スロットのアグリゲーションレベルが、アグリゲーションされるスロットの始めにおけるダウンリンク制御チャネルで（例えば、別のフィールドで）で示されてもよい。
【００６８】
［００７８］
ダウンリンク制御チャネルを受信するＵＥは、ＳＦＩとアグリゲーションレベルとを含む情報を使用して、スロット中のどのシンボルがアップリンクに対するものであり、どのシンボルがダウンリンクに対するものであるかのような、現在のスロットおよび／または将来のスロットのフォーマットを決定（導出、識別等）できてもよい。態様において、ＵＥは、アグリゲーションされるスロットの間、ＰＤＣＣＨデコードをスキップできる。
【００６９】
他の信号とのＳＦＩ競合の例示的な取り扱い
［００７９］
ＳＦＩ中の情報が、ダウンリンク制御情報（ＤＣＩ）（例えば、アップリンク許可、ダウンリンク許可、および／または、ＡＣＫ／ＮＡＣＫタイミング）および事前構成された周期的アップリンクまたはダウンリンク送信のような、他のシグナリングと競合しないことが望ましいかもしれない。ＧＣ  ＰＤＣＣＨによる誤検出の可能性がある。例えば、ＤＣＩは、シンボル中のアップリンクまたはダウンリンク送信をスケジューリングできる（または、周期的アップリンク送信またはダウンリンク送信の可能性がある）が、ＳＦＩは、シンボルを非アップリンク（例えば、ダウンリンク、予約済、空等）または非ダウンリンク（例えば、アップリンク、予約済、空等）として示すかもしれない。
【００７０】
［００８０］
例示的なシナリオにおいて、ＳＦＩ中の情報は、１つ以上のシンボルが、アップリンクまたはダウンリンク（または、予約済、空等）の何れかに対するものであることを示すかもしれないが、ＤＣＩ中の許可、および／または、ＤＣＩ中のＡＣＫ／ＮＡＣＫタイミング情報は、これらのシンボルのうちの１つにおいて、他の方向での送信を送信するまたは受信するために、ＵＥをスケジューリングするかもしれない。ＤＣＩまたはＳＦＩの何れかで検出エラーがあることもある。このように、ＳＦＩとＤＣＩは競合することがある。競合があるとＵＥが決定する場合、ＵＥは、ＳＦＩ中の情報またはＤＣＩ中の情報のどちらかに優先権を与えてもよい。１つの例では、ＵＥは常にＤＣＩ中の情報に優先権を与える。代替的に、ＵＥは、現在のスロットで受信したＤＣＩにのみ優先権を与えてもよいが、ＤＣＩが以前のスロットで受信されていた場合、ＵＥは、ＳＦＩ中の情報に優先権を与えてもよい。
【００７１】
［００８１］
別の例示的なシナリオでは、ＳＦＩ中の情報は、周期シグナリングと競合するかもしれない。ダウンリンク上では、周期シグナリングは、チャネル状態情報基準信号（ＣＳＩ−ＲＳ）、同期信号（１次同期信号（ＰＳＳ）、２次同期信号（ＳＳＳ）、および／または、物理ブロードキャストチャネル（ＰＢＣＨ））、および／または、半永続スケジューリング（ＳＰＳ）として、このようなシグナリングを含んでいるかもしれない。アップリンク上では、周期シグナリングは、サウンディング基準信号（ＳＲＳ）、チャネル状態情報（ＣＳＩ）を有する物理アップリンク制御チャネル（ＰＵＣＣＨ）、および／または、ＳＰＳを含んでいるかもしれない。ＳＦＩ中の情報は、１つ以上のシンボルが、アップリンクまたはダウンリンク（または、予約済、空等）の何れかに対するものであるかを示すかもしれない一方で、いくつかの周期信号は、これらのシンボルにおいて、他の方向に発生するかもしれない。したがって、ＳＦＩと周期シグナリングは競合する。競合があるとＵＥが決定する場合、ＵＥは、ＳＦＩまたは周期シグナリング中の情報の何れかに優先権を与えてもよい。
【００７２】
［００８２］
１つの例では、シンボルに対するＤＣＩ情報がある場合、ＵＥは、常にＤＣＩ中の情報に優先権を与える。代替的に、シンボルに対するＤＣＩ情報がある場合において、ＤＣＩが現在のスロットで受信された場合のみに、ＵＥはＤＣＩ中の情報に優先権を与えてもよく、以前のスロットで受信されていたＤＣＩの情報に対してではない。ＤＣＩが存在しない（または、そのシンボルに対する許可が含まれていない）場合で、ＳＦＩが方向を示す場合、ＵＥは、ＳＦＩ中の情報に優先権を与える。ＤＣＩが存在せず、ＳＦＩが空を示す場合、ＵＥは、周期シグナリングに優先権を与える。ＤＣＩが存在せず、ＳＦＩが予約済であることを示す場合、ＵＥは、ＳＦＩに優先権を与える。
【００７３】
［００８３］
ＤＣＩ中の情報に優先権を与えることは、ＤＣＩ中のアップリンクまたはダウンリンク許可（例えば、ＳＦＩによって示されるリンク方向を無視すること）に基づいて、あるいは、ＤＣＩ中のＡＣＫ／ＮＡＣＫタイミングに基づいて、送信を送信すること、または、送信を監視することを含んでいてもよい。ＳＦＩに優先権を与えることは、ＳＦＩ中の情報と競合する場合、ＤＣＩ中の、アップリンクまたはダウンリンク許可をあるいはＡＣＫ／ＮＡＣＫタイミングを無視することを含んでいてもよい。周期シグナリングに優先権を与えることは、ＳＦＩまたはＤＣＩ中の情報にかかわらず、周期シグナリングを送信することまたは周期シグナリングを監視することを含んでいてもよい。
【００７４】
［００８４］
ここで開示した方法は、説明した方法を達成するための１つ以上のステップまたはアクションを含んでいる。方法のステップおよび／またはアクションは、特許請求の範囲から逸脱することなく、互いに交換可能であってもよい。言い換えると、ステップまたはアクションの特定の順序が指定されていない限り、特定のステップおよび／またはアクションの順序および／または使用を、特許請求の範囲から逸脱することなく変更してもよい。
【００７５】
［００８５］
ここで使用されるような、アイテムのリスト「のうちの少なくとも１つ」を指すフレーズは、これらのアイテムの、単一のメンバーを含む任意の組み合わせを指す。例として、「ａ、ｂ、またはｃのうちの少なくとも１つ」は、ａ、ｂ、ｃ、ａ−ｂ、ａ−ｃ、ｂ−ｃ、および、ａ−ｂ−ｃとともに、複数の同じ要素の任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、ａ、ｂ、および、ｃの他の何らかの順序）をカバーするように意図されている。
【００７６】
［００８６］
ここで使用されるように、用語「決定する」は、さまざまなアクションを含んでいる。例えば、「決定する」は、計算する、算出する、処理する、導出する、調べる、検索する（例えば、表、データベース、または、別のデータ構造中において検索する）、確認する、および、これらに類するものを含んでいてもよい。また、「決定する」は、受信する（例えば、情報を受信する）、アクセスする（例えば、メモリ中のデータにアクセスする）、および、これらに類するものを含んでいてもよい。また、「決定する」は、解決する、選択する、選ぶ、確立する、および、これらに類するものを含んでいてもよい。
【００７７】
［００８７］
先の説明は、当業者がここで説明したさまざまな態様を実施できるようにするために提供されている。これらの態様へのさまざまな修正は、当業者にとって容易に明らかとなり、ここで定義された包括的な原理を、他の態様に適用してもよい。したがって、特許請求の範囲は、ここで示した態様を限定するように意図されているものではなく、言語的特許請求の範囲と一貫する全範囲に一致すべきである。ここにおいて、単数形での要素への言及は、そうであると特に述べられていない限り、「１つであり１つだけ」ではなく、むしろ「１つ以上」を意味するように意図されている。そうでないと具体的に述べられない限り、用語「いくつかの」は、１つ以上を指す。当業者に知られている、または、後に知られることになる、本開示全体を通して説明したさまざまな態様の要素に対するすべての構造的および機能的な均等物は、参照によりここに明示的に組み込まれ、特許請求の範囲により含まれることが意図されている。さらに、ここで開示したものは、このような開示が特許請求の範囲中に明示的に記載されているか否かにかかわらず、公共に捧げられることを意図していない。どの請求項の要素も、要素が「する手段」というフレーズを用いて明示的に列挙されない限り、または、方法の請求項のケースでは、要素が「するステップ」というフレーズを用いて列挙されない限り、３５Ｕ．Ｓ．Ｃ．１１２条第６パラグラフの規定のもとで解釈すべきではない。
【００７８】
［００８８］
上記で説明した方法のさまざまな動作は、対応する機能を実行することができる任意の適切な手段により実行してもよい。手段は、これらに限定されないが、回路、特定用途向け集積回路（ＡＳＩＣ）、または、プロセッサを含む、さまざまなハードウェアならびに／あるいはソフトウェアのコンポーネントおよび／またはモジュールを含んでいてもよい。一般的に、図中に図示される動作がある場合、これらの動作は、同様の番号を有する対応する対照のミーンズプラスファンクションコンポーネントを有していてもよい。
【００７９】
［００８９］
本開示に関連して説明したさまざまな例示的な論理ブロック、モジュール、および、回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス（ＰＬＤ）、ディスクリートゲートまたはトランジスタ論理、ディスクリートハードウェアコンポーネント、あるいは、ここで説明した機能を実行するように設計されているこれらの任意の組み合わせにより実現しても、または、実行してもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションのような、コンピューティングデバイスの組み合わせとして実現してもよい。
【００８０】
［００９０］
ハードウェアで実現する場合、例示的なハードウェアコンフィギュレーションは、ワイヤレスノード中に処理システムを備えていてもよい。処理システムは、バスアーキテクチャにより実現してもよい。バスは、処理システムの特定の用途および設計全体の制約に依存して、任意の数の相互接続バスおよびブリッジを含んでいてもよい。バスは、プロセッサ、機械読取可能媒体、および、バスインターフェースを含む、さまざまな回路を互いにリンクしてもよい。バスインターフェースを使用して、バスを介して、ネットワークアダプタを、とりわけ、処理システムに結合してもよい。ネットワークアダプタを使用して、ＰＨＹレイヤの信号処理機能を実現してもよい。ユーザ端末１２０のケース（図１を参照）では、ユーザインターフェース（例えば、キーパッド、ディスプレイ、マウス、ジョイスティック等）もまた、バスに接続してもよい。バスはまた、タイミングソース、周辺機器、電圧レギュレータ、電力管理回路等のようなさまざまな他の回路をリンクさせることができ、これらは、技術的に周知であるので、これ以上説明しない。プロセッサは、１つ以上の汎用プロセッサおよび／または特殊目的プロセッサによって実現してもよい。例は、ソフトウェアを実行することができる、マイクロプロセッサ、マイクロ制御装置、ＤＳＰプロセッサ、および、他の回路を含む。当業者は、特定のアプリケーションおよびシステム全体に課せられた設計全体の制約に依存して、処理システムに対する説明した機能性をどのように最良に実現するかを認識するだろう。
【００８１】
［００９１］
ソフトウェアで実現する場合、機能は、１つ以上の命令またはコードとしてコンピュータ読取可能媒体上に記憶されていてもよく、あるいは、１つ以上の命令またはコードとしてコンピュータ読取可能媒体上で送信されてもよい。ソフトウェア、ファームウェア、ミドルウェア、マイクロコード、ハードウェア記述言語、または、その他のものと呼ばれるか否かにかかわらず、ソフトウェアは、命令、データ、または、これらの何らかの組み合わせを意味するように広く解釈されるべきである。コンピュータ読取可能媒体は、１つの場所から別の場所へのコンピュータプログラムの転送を促進する任意の媒体を含む、コンピュータ記憶媒体および通信媒体の両方を含んでいる。プロセッサは、バスの管理と、機械読取可能記憶媒体上に記憶されているソフトウェアモジュールの実行を含む汎用処理とを担ってもよい。コンピュータ読取可能記憶媒体は、プロセッサが記憶媒体から情報を読み取り、記憶媒体に情報を書き込むことができるように、プロセッサに結合されていてもよい。代替実施形態では、記憶媒体はプロセッサと一体化してもよい。例として、機械読取可能媒体は、送信線、データによって変調された搬送波、および／または、ワイヤレスノードから分離された、記憶された命令を有するコンピュータ読取可能記憶媒体を含んでもよいが、これらのすべては、バスインターフェースを通してプロセッサによってアクセスされてもよい。代替的に、または、加えて、機械読取可能媒体またはその任意の部分は、キャッシュおよび／または汎用レジスタファイルとともにのようなケースでは、プロセッサ中に統合されてもよい。機械読取可能記憶媒体の例は、例として、ＲＡＭ（ランダムアクセスメモリ）、フラッシュメモリ、ＲＯＭ（リードオンリーメモリ）、ＰＲＯＭ（プログラム可能リードオンリーメモリ）、ＥＰＲＯＭ（消去可能プログラム可能リードオンリーメモリ）、ＥＥＰＲＯＭ（登録商標）（電気的消去可能プログラム可能リードオンリーメモリ）、レジスタ、磁気ディスク、光ディスク、ハードドライブ、または、他の何らかの適切な記憶媒体、あるいは、これらの何らかの組み合わせを含んでもよい。機械読取可能媒体は、コンピュータプログラム製品中で具現化してもよい。
【００８２】
［００９２］
ソフトウェアモジュールは、単一の命令または多くの命令を含んでいてもよく、いくつかの異なるコードセグメントを通して、異なるプログラム間で、および、複数の記憶媒体に渡って、分散させてもよい。コンピュータ読取可能媒体は、多数のソフトウェアモジュールを含んでいてもよい。ソフトウェアモジュールは、プロセッサのような装置によって実行されるとき、処理システムにさまざまな機能を実行させる命令を含む。ソフトウェアモジュールは、送信モジュールおよび受信モジュールを含んでいてもよい。各ソフトウェアモジュールは、単一の記憶デバイス中に存在してもよく、または、複数の記憶デバイスに渡って分散させてもよい。例として、ソフトウェアモジュールは、トリガイベントが起こったときに、ハードドライブからＲＡＭにロードさせてもよい。ソフトウェアモジュールの実行の間、プロセッサは、命令のうちのいくつかをキャッシュにロードして、アクセススピードを増加させてもよい。その後、１つ以上のキャッシュラインを、プロセッサによる実行のために汎用レジスタファイルにロードさせてもよい。以下のソフトウェアモジュールの機能性に言及するときに、このような機能性は、そのソフトウェアモジュールからの命令を実行するときにプロセッサによって実現されることが理解されるだろう。
【００８３】
［００９３］
何れの接続も、コンピュータ読取可能媒体と適切に名付けられる。例えば、同軸ケーブルを、光ファイバケーブルを、撚り対を、デジタル加入者線（ＤＳＬ）を、または、赤外線（ＩＲ）、無線、マイクロ波のようなワイヤレステクノロジーを使用して、ソフトウェアが、ウェブサイトから、サーバから、または、他の遠隔ソースから送信される場合、同軸ケーブルや、光ファイバケーブルや、撚り対や、ＤＳＬや、または、赤外線、無線、マイクロ波のようなワイヤレステクノロジーは、媒体の定義中に含まれる。ここで使用するようなディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、および、ブルーレイ（登録商標）ディスクを含んでおり、ディスク（ｄｉｓｋ）は通常、データを磁気的に再生する一方で、ディスク（ｄｉｓｃ）はデータをレーザによって光学的に再生する。したがって、いくつかの態様では、コンピュータ読取可能媒体は、非一時的コンピュータ読取可能媒体（例えば、有体的媒体）を備えていてもよい。加えて、他の態様に対して、コンピュータ読取可能媒体は、一時的コンピュータ読取可能媒体（例えば、信号）を備えていてもよい。上記の組み合わせも、コンピュータ読取可能媒体の範囲内に含むべきである。
【００８４】
［００９４］
したがって、ある態様は、ここに提示した動作を実行するためのコンピュータプログラム製品を備えていてもよい。例えば、このようなコンピュータプログラム製品は、その上に記憶されている（および／またはエンコードされている）命令を有するコンピュータ読取可能媒体を含んでもよく、命令は、ここで説明した動作を実行するために、１つ以上のプロセッサにより実行可能である。
【００８５】
［００９５］
さらに、ここで説明した方法および技術を実行するモジュールおよび／または他の適切な手段を、ユーザ端末および／または基地局によって、適宜、ダウンロードできることを、および／または、そうでなければ取得できることを認識すべきである。例えば、このようなデバイスは、ここで説明した方法を実行する手段の転送を促進するように、サーバに結合することができる。代替的に、ここで説明したさまざまな方法は、記憶手段をデバイスに結合または提供する際に、ユーザ端末および／または基地局がさまざまな方法を取得することができるように、記憶手段（例えば、ＲＡＭ、ＲＯＭ、コンパクトディスク（ＣＤ）またはフロッピーディスクのような物理記憶媒体等）を介して提供することができる。さらに、ここで説明した方法および技術を提供するための、他の何らかの適切な技術が利用できる。
【００８６】
［００９６］
特許請求の範囲が、上記に示したまさにそのコンフィギュレーションおよびコンポーネントに限定されないことを理解すべきである。さまざまな修正、変更、および、バリエーションが、上記で説明した方法ならびに装置の構成、動作、および、詳細において、特許請求の範囲から逸脱することなく行われてもよい。
【図１】
2020511851.tif 000003
【図２】
2020511851.tif 000004
【図３】
2020511851.tif 000005
【図４】
2020511851.tif 000006
【図５】
2020511851.tif 000007
【図６】
2020511851.tif 000008
【図７】
2020511851.tif 000009
【図８】
2020511851.tif 000010
【図９】
2020511851.tif 000011
【図１０】
2020511851.tif 000012
【国際調査報告】
2020511851.tif 000013
2020511851.tif 000014
2020511851.tif 000015
2020511851.tif 000016